(57)【要約】      （修正有）【課題】自動販売機周辺でのたむろを効果的に防止した機能を有する自動販売機システムを提供する。【解決手段】カメラ及び自販機側スピーカーを含むたむろ防止ユニット５が自販機１に搭載されており、たむろ防止ユニット５はネットワーク６を介して管理用コンソール４につながっている。自販機１の周辺でたむろが発生し、その様子がカメラで撮影されて管理用コンソール４のディスプレイ４１で表示されると、担当者は、コンソール側マイク４２を通して警告のメッセージをしゃべり、その音声がネットワーク６を介してたむろ防止ユニット５の自販機側スピーカーから流される。【選択図】図１
0003196814.tif 000002
【実用新案登録請求の範囲】
【請求項１】
自動販売機と、
自動販売機に搭載されたカメラ及び自販機側スピーカーと、
ネットワークを介してカメラ及び自販機側スピーカーに接続された管理用コンソールとを備えており、
カメラは、自動販売機周辺のたむろが発生し易い場所を撮影可能な状態で配置されており、
自販機側スピーカーは、自動販売機周辺のたむろが発生し易い場所において聴取可能なボリュームで音声を流すものであり、
管理用コンソールは、ディスプレイ及びコンソール側マイクとを備えており、カメラが撮影した画像をネットワークを介してリアルタイムでディスプレイに表示可能であるとともに、ディスプレイに表示される画像を見ながらコンソール側マイクを通してたむろへの警告を発し、自販機側スピーカーから流すことが可能となっていることを特徴とするたむろ防止機能付き自動販売機システム。
【請求項２】
前記自動販売機周辺のたむろが発生し易い場所からの音声を拾う自販機側マイクが設けられており、
前記管理用コンソールは、自販機側マイクが拾った音声を前記ネットワークを介してリアルタイムで再生するコンソール側スピーカーを備えていることを特徴とするたむろ防止機能付き自動販売機システム。
【請求項３】
前記カメラ、自販機側スピーカー及び自販機側マイクは、たむろ防止ユニットの要素として設けられており、たむろ防止ユニットは、前記自動販売機に対して着脱可能なユニットであることを特徴とする請求項２記載のたむろ防止機能付き自動販売機システム。
【請求項４】
前記カメラは、前記自動販売機の前面扉も撮影可能なものであることを特徴とする請求項１、２又は３記載のたむろ防止機能付き自動販売機システム。
【請求項５】
前記カメラは、前記ネットワークを介して前記管理用コンソールによって遠隔操作されることが可能なものであり、遠隔操作には、撮影領域の変更のための姿勢の変更が含まれることを特徴とする請求項１乃至４いずれかに記載のたむろ防止機能付き自動販売機システム。
【考案の詳細な説明】
【技術分野】
【０００１】
本願の考案は、清涼飲料等の自動販売機に関するものである。
【背景技術】
【０００２】
現在、街頭やビル等の施設内には、清涼飲料等の自動販売機が多数設置され、利用されている。自動販売機は、公道である歩道や車道に面して設置されている場合もあるが、例えば駐車場のような私有地内に設置されている場合もある。私有地内に自動販売機が設置されている場合、自動販売機での商品購入のために人が一時的に立ち入ることが許容されているともいえる。
【先行技術文献】
【特許文献】
【０００３】
【特許文献１】特開２０１１−２２１６２４号公報
【考案の概要】
【考案が解決しようとする課題】
【０００４】
このような自動販売機は、通常、自動販売機において商品販売を行う事業者（以下、自販機業者という）が、土地の所有者や施設の管理会社等から許可をもらうことで設置されている。自販機業者は、定期的に各自動販売機を巡回し、代金の回収や商品の補充を行っている。
このような自動販売機の事業において、自動販売機周辺でのたむろが問題となることがある。自動販売機で清涼飲料等の飲料商品を購入した後、複数の人が自動販売機周辺にとどまり、長時間話をしたり大声をあげたりする姿が散見される。
【０００５】
このような自動販売機周辺のたむろは、周辺の住民等に迷惑となる場合がある。例えば、深夜に自動販売機の周辺に人がたむろして長時間談笑したり大声をあげたりするような場合が挙げられる。自動販売機の設置をきっかけとしてこのようなたむろが発生するようになると、いったん自動販売機の設置について許可をした地主や管理会社も、周辺住民の迷惑等を考慮して許可を撤回する事態も生じてきている。このような事態となると、自販機業者としては、売り上げの拠点を失ってしまうことになるので、なんとかそのような事態にならないような対策が求められる。
本願の考案は、このような点を考慮して為されたものであり、自動販売機周辺でのたむろを効果的に防止した機能を有する自動販売機システムを提供する技術的意義を有している。
【課題を解決するための手段】
【０００６】
上記課題を解決するため、本願の請求項１記載の考案は、
自動販売機と、
自動販売機に搭載されたカメラ及び自販機側スピーカーと、
ネットワークを介してカメラ及び自販機側スピーカーに接続された管理用コンソールとを備えており、
カメラは、自動販売機周辺のたむろが発生し易い場所を撮影可能な状態で配置されており、
自販機側スピーカーは、自動販売機周辺のたむろが発生し易い場所において聴取可能なボリュームで音声を流すものであり、
管理用コンソールは、ディスプレイ及びコンソール側マイクとを備えており、カメラが撮影した画像をネットワークを介してリアルタイムでディスプレイに表示可能であるとともに、ディスプレイに表示される画像を見ながらコンソール側マイクを通してたむろへの警告を発し、自販機側スピーカーから流すことが可能となっている、たむろ防止機能付き自動販売機システムであるという構成を有する。
また、上記課題を解決するため、請求項２記載の考案は、前記請求項１の構成において、前記自動販売機周辺のたむろが発生し易い場所からの音声を拾う自販機側マイクが設けられており、
前記管理用コンソールは、自販機側マイクが拾った音声を前記ネットワークを介してリアルタイムで再生するコンソール側スピーカーを備えているという構成を有する。
また、上記課題を解決するため、請求項３記載の考案は、前記請求項２の構成において、前記カメラ、自販機側スピーカー及び自販機側マイクは、たむろ防止ユニットの要素として設けられており、たむろ防止ユニットは、前記自動販売機に対して着脱可能なユニットであるという構成を有する。
また、上記課題を解決するため、請求項４記載の考案は、前記請求項１、２又は３の構成において、前記カメラは、前記自動販売機の前面扉も撮影可能なものであるという構成を有する。
また、上記課題を解決するため、請求項５記載の考案は、前記請求項１乃至４いずれかの構成において、前記カメラは、前記ネットワークを介して前記管理用コンソールによって遠隔操作されることが可能なものであり、遠隔操作には、撮影領域の変更のための姿勢の変更が含まれるという構成を有する。
【考案の効果】
【０００７】
以下に説明する通り、本願の請求項１記載の考案によれば、自動販売機の周辺でのたむろが防止されるので、周辺住民等の迷惑を考慮して自動販売機の設置が許可されなくなる事態が回避される。
また、請求項２記載の考案によれば、上記効果に加え、自販機側マイクが設けられていて、実際にたむろが発生しているか、たむろが発生しそうであるかを音声で確認することができる。このため、誤って警告を発してしまうことが無くなる。
また、請求項３記載の考案によれば、上記効果に加え、たむろ防止ユニットが着脱自在であるので、必要な自動販売機に対して付け替えながら装着することができ、たむろ防止ために発生するコストを低減させることができる。
また、請求項４記載の考案によれば、上記効果に加え、カメラは、自動販売機の前面扉を撮影することが可能であるので、自動販売機の前面扉をこじ開けて内部の代金等を盗もうとする犯罪や自動販売機へのいたずら等を監視することもできる。
また、請求項５記載の考案によれば、上記効果に加え、カメラを遠隔操作して姿勢が変えられるので、広いスペースにおいてたむろの監視が行える。
【図面の簡単な説明】
【０００８】
【図１】本願考案の実施形態に係るたむろ防止機能付き自動販売機システムの概略図である。
【図２】図２は、図１に示す自販機１において前面扉１２を開けた状態の斜視概略図である。
【図３】たむろ防止ユニット５の平面概略図である。
【図４】たむろ防止ユニット５の正面断面概略図である。
【図５】たむろ防止ユニット５の側面断面概略図である。
【図６】たむろ防止ユニット５の着脱について示した斜視概略図である。
【考案を実施するための形態】
【０００９】
次に、本願考案を実施するための形態（以下、実施形態）について説明する。
図１は、本願考案の実施形態に係るたむろ防止機能付き自動販売機システムの概略図である。図１に示す自動販売機システムは、自動販売機（以下、自販機と略称する）１と、自販機１に搭載されたカメラ２及び自販機側スピーカー３と、管理用コンソール４とを備えている。カメラ２及び自販機側スピーカー３は、ひとつのユニット（以下、たむろ防止ユニット）５の要素として設けられている。
【００１０】
自販機１は、この実施形態では清涼飲料の自動販売機となっている。図１に示すように、自販機１は、筐体１１と、筐体１１の前面に設けられた前面扉１２とを備えている。図２は、図１に示す自販機１において前面扉１２を開けた状態の斜視概略図である。
図２に示すように、筐体１１内には、販売する缶入り又はＰＥＴボトル入りの清涼飲料を収容した商品収容部１１１が設けられている。図１に示すように、前面扉１２には、商品の見本を展示した展示部１２１、購入する商品を選択する各商品選択ボタン１２２、購入のための硬貨や紙幣を投入する金銭投入部１２３、購入した商品を取り出す取り出し口１２４などが設けられている。
【００１１】
また、筐体１１内には、自販機１の動作を制御する制御部１３が設けられている。図２に示すように、前面扉１２の裏面には、制御ボックス１２５が設けられている。制御ボックス１２５内に制御部１３が設けられている。制御部１３は、プロセッサや記憶部（メモリ）等を備え、金銭投入部１２３で投入された金銭が規定の金額に達しているかどうかの判断等を行うものである。
【００１２】
一方、商品収容部１１１は、制御部１３からの信号に従って商品を一つずつ払い出す払い出し機構１４を備えており、制御部１３は、投入された金銭が所定の金額に達していると判断した場合、払い出し機構１４に信号を送り、選択された商品を取り出し口１２４に払い出すようになっている。これらの構成や機構の構造は、通常の自動販売機と同様のものとすることができるので、詳細な説明及び図示は省略する。
【００１３】
図１及び図２に示すように、たむろ防止ユニット５は自販機１の上面に取り付けられている。たむろ防止ユニット５について、図３〜図５を使用して説明する。図３は、たむろ防止ユニット５の平面概略図、図４はたむろ防止ユニット５の正面断面概略図、図５はたむろ防止ユニット５の側面断面概略図である。
たむろ防止ユニット５は、ベース板５１と、ベース板５１に取り付けられたカメラ２及び自販機側スピーカー３と、管理用コンソール４との通信のための通信装置５２と、外装カバー５３等から主に構成されている。
【００１４】
図５に示すように、ベース板５１には、フレーム５４が設けられている。フレーム５４は、ベース板５１の一端から延びたＬ字状の部材である。フレーム５４は、上側においてベース板５１に平行に対向している部位（以下、上板部という）５４１があり、カメラ２は、この部位の下面に固定されている。
この実施形態では、カメラ２は、ネットワーク（具体的にはインターネット）６を介して管理用コンソール４と通信を行うようになっており、ネットワークカメラが使用されている。
【００１５】
カメラ２は、ネットワーク６を介して音声信号のやりとりができるタイプのものが使用されており、音声信号入力端子と音声信号出力端子とを備えている。自販機側スピーカー３は、このカメラ２の音声信号出力端子に接続されている。
このようなカメラ２としては、例えばパナソニック株式会社社製のＢＢ−ＨＣＭ５８１などが使用できる。また、自販機側スピーカー３としては、アンプ内蔵スピーカーが使用されており、市販のものの中から適宜選択して使用される。自販機側スピーカー３は、加下方に向けて設置されているが、図５に示すように、外装カバー５３の下端は、ベース板５１によって閉じられておらず、開口が形成されている。自販機側スピーカー３からの音声は、主としてこの開口を通して流れ、前方（筐体１１に対して前面扉１２が設けられた側）のたむろが発生し易い場所に向けて流れされるようになっている。
尚、この実施形態では、二つのカメラ２が設けられており、それぞれに一つの自販機側スピーカー３が接続されている。各自販機側スピーカー３も、フレーム５４の上板部５４１の下面に固定されている。
【００１６】
また、各カメラ２は、自販機側マイク５５を備えたものとなっている。各カメラ２は、撮影と同期して音声を拾うマイクを内蔵しており、自販機側マイク５５としては、この内蔵マイクが使用されている。自販機側マイク５５は、自販機１周辺のたむろが発生し易い場所からの音声を取り込むことが可能なものである。
【００１７】
また、図４に示すように、フレーム５４の上板部５４１は、ベース板５１より長くなっており、前側に突出している。各カメラ２は、この突出した位置に取り付けられている。したがって、各カメラ２の姿勢を適宜なものにすると、自販機１の前面扉１２やその周辺を撮影することが可能になっている。
【００１８】
この実施形態では、通信装置５２は、無線通信によって管理用コンソール４と通信を行うようになっており、例えばＷｉＦｉ端末やＬＴＥ対応の端末などが使用される。通信装置５２と、各カメラ２とは、ルーター５６を介して接続されている。ルーター５６や通信装置５２も、ベース板５１に固定されている。尚、ルーター機能を通信装置５２に組み込んだＷｉＦｉルーターのような機器が使用されることもある。
【００１９】
外装カバー５３は、下面が開口となっている直方体のボックス状である。外装カバー５３は、プラスチック製の半透明のものであり、各カメラ２による撮影に支障がない程度に内部を見えなくした構造となっている。外装カバー５３は、不図示のネジによりベース板５１に固定されている。
【００２０】
尚、図４に示すように、ベース板５１上には電源ポート５７が設けられている。電源ポート５７からは電源ケーブル５７１が延びている。二つのカメラ２、ルーター５６、無線装置５２、自販機側スピーカー３等の機器は、電源ポート５７に対して電源コード（一部不図示）が接続されている。電源ポート５７から延びる電源ケーブル５７１は、自販機１が設置された箇所に用意されているコンセントに接続される。
【００２１】
このようなたむろ防止ユニット５は、自販機１に対して容易に着脱自在となっている。この点について、図６を使用して説明する。図６は、たむろ防止ユニット５の着脱について示した斜視概略図である。
図６に示すように、自販機１の上面には、台座７が固定されている。台座７には、係止用突片（以下、台座側係止突片）７１とネジ止め用突片（以下、台座側ネジ止め片）７２とが設けられており、それぞれ上方に突出している。台座側係止片７１は奥側に設けられており、係止用開口７１０を有している。また、台座側ネジ止め片７２は手前側に設けられており、ネジ孔が形成されている。
【００２２】
一方、ベース板５１の下面にも、係止用突片（以下、ベース側係止片）５１１とネジ止め用突片（以下、ベース側ネジ止め片）５１２が設けられており、それぞれ下方に突出している。ベース側係止片５１１は、先端がフック状に折れ曲がっている。また、ベース側ネジ止め片５１２は、同様にネジ孔を有している。
ベース側係止片５１１の先端は、台座側係止片７１の係止用開口７１０に差し込まれる形状となっており、ベース側係止片５１１の先端を台座側係止片７１の係止用開口７１０に差し込むと、各ベース側ネジ止め片５１２が各台座側ネジ止め片７２に当接するようになっており、このような位置関係になるよう各突片５１１，５１２，７１，７２が設けられている。
【００２３】
たむろ防止ユニット５を装着する場合、図６に示すように、ベース側係止片５１１を台座側係止片７１の係止用開口７１０に差し込み、各ベース側ネジ止め片５１２を各台座側ネジ止め片７２に当接させる。この状態で、各ネジ止め片５３，７２を通してネジ止め（又はボルト止め）することで、たむろ防止ユニット５は自販機１に装着される。
たむろ防止ユニット５を取り外す場合には、各ネジ（又はボルト）を緩めて取り去り、ベース側係止片５１１を台座側係止片７１から引き抜く。尚、たむろ防止ユニット５を取り去った場合には、台座７は、不図示の補助カバーで覆われる。補助カバーは、たむろ防止ユニット５のベース板５１とほぼ同様の寸法形状の部材である。
【００２４】
また、この実施形態では、自販機１には、追加ロック機構８が設けられている。図１に示すように、自販機１の前面扉１２には、鍵穴（以下、メイン鍵穴）１２７が設けられている。メイン鍵穴１２７には、メインのロック機構（不図示）につながっている。追加ロック機構８は、このメインのロック機構とは別に設けられたもので、盗難防止の観点から追加されたものである。盗難防止とは、自販機１内の商品や代金の盗難防止である。
追加ロック機構８は、オス部８１と、筐体１１に固定されたメス部８２とから成る。この実施形態では、追加ロック機構８は、前面扉１２の上部を固定する位置に設けられている。メス部８２は筐体１１の上面に固定されており、前面扉１２の厚さ程度の幅だけ筐体１１の前縁から突出している。オス部８１は強固な機構によりメス部８２に係合するものであり、係合時には、筐体１１とオス部８１とで前面扉１２の上部が挟み込まれた状態になる。
【００２５】
追加ロック機構８は、スチール製の頑丈な機構であり、メイン鍵穴１２７に差し込まれるものとは別の鍵により開閉されるものである。このような追加ロック機構８としては、例えば株式会社多奈川商店（本社：大阪府八尾市）から販売されているタイタン（商品名）が使用できる。尚、図５及び図６に示すように、追加ロック機構８のメス部８２は、台座７上に設けられており、台座７を介して筐体１１に固定されている。オス部８１は、メス部８２に対してロック時に係合するものであるものの、前面扉１２には固定されていない。前面扉１２を開ける際には、オス部８１に設けられた不図示の鍵穴に鍵を差し込んでロックを解除し、オス部８１を取り外す。尚、オス部８１を前面扉１２に固定してしまう場合もある。
【００２６】
一方、管理用コンソール４は、この実施形態では汎用コンピュータ（例えばデスクトップパソコン）で構成されている。管理用コンソール４は、ネットワーク（インターネット）６を介してルーター５６にアクセスするようになっている。ルーター５６は、外部からのアクセスを許容する設定となっているとともに、ＶＰＮ（Virtual Private Network)のようなセキュリティ設定が行えるようになっている。セキュリティ設定は、ユーザー名とパスワードの設定が含まれる。管理用コンソール４は、これらを入力して送信することで、各カメラ２や各自販機側スピーカー３をＬＡＮ上に接続された機器のように制御できるようになる。尚、インターネット上のＤＮＳサーバに対してルーター５６の名前とＩＰアドレスを登録するダイナミックＤＮＳサービスが必要に応じて利用される。
【００２７】
管理用コンソール４には、カメラ２が撮影した画像をディスプレイ４１に表示したり、カメラ２の姿勢を制御したり、カメラ２との間で音声信号のやりとりをしたりするソフトウェアがインストールされている。このようなソフトウェア（以下、カメラソフトと略称する）は、通常、ネットワークカメラ２であるカメラ２の付属ソフトウェアとして提供されるので、それが予めインストールされる。カメラソフトは、少なくとも二つのカメラ２の撮影画面を同時に表示できるものである。尚、カメラソフトは、各カメラ２をネットワーク６経由で遠隔操作する機能も実装している。各カメラ２の撮影画面を表示するウインドウ内に含まれるメニューバーには、各カメラ２の姿勢を変更するコマンドボタンが含まれている。
【００２８】
また、管理用コンソール４には、コンソール側マイク４２及びコンソール側スピーカー４３が接続されている。これらも、デスクトップパソコン用の汎用のものが使用できる。
尚、カメラソフトは、ネットワーク６経由で送られる画像データを記録する（録画する）機能を持っている。記録は、管理用コンソール４が備える記録部（ハードディスク等）への記録である。
【００２９】
次に、このような自販機１におけるたむろ防止方法について説明する。
自販機業者は、通常、多数の自販機を各所に設置して事業を行っているが、各自販機においてたむろ防止ユニット５が装着される訳ではなく、たむろ防止ユニット５は必要に応じて装着される。例えば、過去に利用者のたむろが発生して苦情が出た自販機であるとか、新しく自販機を設置する場所がたむろが発生しそうな場所であるとかいった場合に、たむろ防止ユニット５が装着される。
【００３０】
たむろ防止ユニット５は、予め上面に台座７が固定され、台座７が不図示の補助カバーで覆われている自販機１について、補助カバーを取り外して装着する。台座７が無い自販機１について必要が生じた場合、台座７を新たに固定し、たむろ防止ユニット５を装着する。たむろ防止ユニット５の装着後、電源ケーブル５７１がコンセントに差し込まれ、ユニット５の各部の動作が開始される。
尚、図１に示すように、自販機１の前面扉１２には、たむろに関する注意喚起ないし警告のメッセージが書かれたラベル１２６が貼られる。自販機１の周辺に長時間滞在して談笑したり大声をあげたりすることは迷惑であるのでの止めて欲しいといったメッセージや、自販機１の周辺のエリアはカメラ撮影によりたむろが監視されている旨のメッセージがラベル１２６に印刷されている。
【００３１】
管理用コンソール４は、自販機業者のオフィス又は営業所等（以下、自販機業者オフィスと総称する）に設置されており、自販機業者における担当者が操作するものとなっている。担当者は、管理用コンソール４を操作し、カメラソフトを実行する。カメラソフトは、カメラ２を指定するメニューを含んでいる。このメニューは、ネットワーク６上のカメラ２も指定できるようになっており、担当者は、たむろ防止ユニット５内の二つのカメラ２を指定する。これにより、カメラソフトは、管理用コンソール４のディスプレイに各カメラ２が撮影している画像（動画）が表示される。
【００３２】
また、各カメラ２を指定することで、各カメラ２に接続されている自販機側マイク５５が拾った音声データがネットワーク（インターネット）６経由で送られ、カメラソフトの機能により管理用コンソール４のコンソール側スピーカー４３から再生される。即ち、各カメラ２が撮影している場所で発生する音声が、管理用コンソール４のコンソール側スピーカー４３から流される。
【００３３】
担当者は、たむろが発生し易い時間帯や、深夜等のたむろが問題となり得る時間帯において上記操作を行い、ディスプレイ４１に表示される画像を監視する。そして、いずれかのカメラ２で撮影された画像に何人かの人が映っており、長時間同じ場所にいて話し声等が自販機側スピーカー３から聞こえる場合、たむろが発生していることを確認する。この場合、担当者は、管理用コンソール４上のコンソール側マイク４２から警告のメッセージをしゃべり、ネットワーク（インターネット）６経由でたむろ防止ユニット５の自販機側スピーカー３から周辺に流す。警告としては、例えば、「その場所は、私有地です。長時間留まっての会話は、周辺のお宅に迷惑となりますので、ご遠慮下さい。」といったメッセージである。
また、たむろが発生しているらしい音声は聞こえるが、撮影画像に人が含まれていない場合、担当者は、カメラソフトのカメラ遠隔操作機能を使用し、カメラ２の姿勢を適宜変更する。これにより、たむろが発生していると確認された場合、同様に警告メッセージを流す。
【００３４】
このような警告メッセージがたむろ防止ユニット５の自販機側スピーカー３から流れることにより、たむろしていた人がいなくなり、たむろが解消される。また、担当者は、各カメラ２の撮影画像を見ていて、何人かの人が映り始め、たむろが開始されそうな場合、警告メッセージを流し、たむろの発生を未然に防ぐ場合もある。したがって、本願考案における「たむろ防止」とは、発生しているたむろを解消する場合と、たむろを未然に防ぐ場合との両方を含む概念である。
【００３５】
このようにしてたむろ防止ユニット５によるたむろ防止を行うことでたむろが発生しなくなった場合、たむろ防止ユニット５は必要に応じて取り外され、台座７には補助カバーが取り付けられる。たむろ防止ユニット５は、新たにたむろ防止の必要性が生じた別の自販機１に対して取り付けられ、同様にたむろ防止に利用される。
【００３６】
尚、管理用コンソール４における画像データの記録（記憶部への記憶）は、常時（２４時間）行っても良いが、たむろが発生し易い夜間のデータだけ記録するようにしても良い。さらに、たむろが発生していると判断した場合に記録を開始するようにしても良い。
いずれにしても、実施形態の自動販売機システムによれば、自販機１の周辺でのたむろが防止されるので、周辺住民等の迷惑を考慮して自販機１の設置が許可されなくなる事態が回避される。
【００３７】
また、実施形態のシステムでは、自販機側マイク５５が設けられていて、自販機１の周辺のたむろが発生し易い場所の音声を拾って管理用コンソール４のコンソール側スピーカー４３で流すので、実際にたむろが発生しているか、たむろが発生しそうであるかを音声で確認することができる。このため、誤って警告を発してしまうことが無くなる。例えば何らかの特別の事情で何人かがそこで留まって話をしている場合、話の内容を聞くことでたむろであるか否かが確認できることが多い。したがって、自販機業者オフィス内の担当者は、コンソール側スピーカー４３からの音声を聞き、実際にたむろが発生している場合（発生しそうな場合）に限り、警告を発することができる。尚、コンソール側スピーカー４３の代わりにイヤホンが用いられることもある。
【００３８】
尚、カメラ２が管理用コンソール４から遠隔操作可能な点は、たむろが発生しそうな場所がカメラ２の撮影エリアに対して広い場合に特にメリットがある。例えば駐車場のような比較的広いスペースの場合、自販機１の周辺とはいってもカメラ２に対して異なる場所でたむろが発生し易い。このため、カメラ２を固定した向きに向けていたので、たむろが確認できないことがある。実施形態のシステムでは、カメラ２を遠隔操作して姿勢が変えられるので、広いスペースにおいてたむろの監視が行える。尚、カメラ２の遠隔操作には、ズーム機能（拡大、縮小）も含まれる。
【００３９】
上記たむろ防止ユニットによるたむろ防止において、たむろしている人に対する警告は、録音された定型のメッセージを流すものであっても良い。但し、たむろする人やたむろの状況は様々であり、その状況に合ったメッセージで警告する必要がある。したがって、定型の録音されたメッセージよりは、状況をカメラ画像で確認しながら、担当者が最適と思われる内容のメッセージで警告することが好ましい。
【００４０】
さらに、カメラ画像のデータから自動的に判断したり、人感センサーを設けたりすることで、警告メッセージが自動的に流れるように構成することも可能である。但し、何らかの事情でそこに留まることが必要な場合であってたむろでない場合にも警告メッセージが流れてしまうことがあり得る。したがって、担当者が自分の目でカメラ画像を見て判断した上で警告メッセージを流す方がより好ましい。
【００４１】
また、この実施形態では、前述したように、各カメラ２は、自販機１の前面扉１２やその周辺を撮影することが可能である。したがって、例えば一方のカメラ２を自販機１の前面扉１２及びその周辺を撮影する姿勢にしておくことで、自販機１の前面扉１２をこじ開けて内部の代金等を盗もうとする犯罪や自販機１へのいたずら等を監視することができる。自販機業者は、画像を記録しておき、実際にこのような犯罪やいたずらが発生した場合、必要に応じて証拠として利用する。
【００４２】
さらに、自販機１には、空き缶や空きボトル用のゴミ箱が併設されている場合が多い。この場合には、必要に応じてゴミ箱も撮影できる姿勢にカメラ２を制御すると好適である。ゴミ箱については、自販機１とは関係のない家庭用ゴミを投入していく迷惑行為が散見される。この場合、カメラ２で撮影して画像データを記録しており、同じ人がいつも行っているようであれば、人物を特定した上でやめるように警告することも可能である。
【００４３】
たむろ防止ユニット５は自販機１に対して着脱可能なユニットであると説明したが、この点は、たむろ防止ために発生する自販機業者のコストを低減させる意義がある。たむろが発生するのは、自販機業者が扱っている一部の自販機１においてであり、すべての自販機について設置するのは、あまりにもコストがかかり、また無駄である。また、上記のような警告を何回か行うことで、自然にたむろは発生しなくなることも多く、たむろが発生しなくなれば、たむろ防止ユニット５は不要となる。この場合、新たにたむろ防止が必要となる自販機１に付け替えることで、別途たむろ防止ユニット５を製作する必要はなくなる。このように、たむろ防止ユニット５が着脱自在である点には、自販機業者におけるコストを低減させる効果がある。
【００４４】
尚、たむろ防止ユニット５は着脱自在であって、標準的な構成の自販機１に対して追加で設けられるものであったが、本願考案の実施に際しては、自動販売機の標準的な構成においてたむろ防止ユニット５の各要素を備えていても良い。即ち、カメラ２、自販機側自販機側スピーカー３等が自販機１の前面扉１２に組み込まれており、通信装置５２やルーター５６が筐体１１に内蔵されていても良い。
また、実施形態において自販機１は清涼飲料の自動販売機であったが、アルコール飲料を販売する自動販売機や各種食品の自動販売機においても同様に実施することができる。
【符号の説明】
【００４５】
１  自販機
１１  筐体
１２  前面扉
２  カメラ
３  自販機側スピーカー
５５  自販機側マイク
４  管理用コンソール
４１  ディスプレイ
４２  コンソール側マイク
４３  コンソール側スピーカー
５  たむろ防止ユニット
６  ネットワーク
７  台座
８  追加ロック機構
【図１】
0003196814.tif 000003
【図２】
0003196814.tif 000004
【図３】
0003196814.tif 000005
【図４】
0003196814.tif 000006
【図５】
0003196814.tif 000007
【図６】
0003196814.tif 000008
【手続補正書】
【提出日】平成26年12月22日(2014.12.22)
【手続補正１】
【補正対象書類名】実用新案登録請求の範囲
【補正対象項目名】請求項２
【補正方法】変更
【補正の内容】
【請求項２】
前記自動販売機周辺のたむろが発生し易い場所からの音声を拾う自販機側マイクが設けられており、
前記管理用コンソールは、自販機側マイクが拾った音声を前記ネットワークを介してリアルタイムで再生するコンソール側スピーカーを備えていることを特徴とする請求項１記載のたむろ防止機能付き自動販売機システム。